(57)【要約】      （修正有）【課題】男性機能を効果的に発揮させることができる男性機能補助リングを提供する。【解決手段】リングベルト３とカバー体２と振動装置を含み、リングベルトは軟性プラスチック材から成る環状体であり、カバー体がこのリングベルトに接続され、カバー体内には振動装置を設ける。【選択図】図１
0003120139.tif 000002
【実用新案登録請求の範囲】
【請求項１】
男性の亀頭後方の陰茎のあらゆる部位上に装着する男性機能補助リングであって、
該男性機能補助リングは、リングベルトとカバー体と振動装置を含み、
男性の亀頭後方の陰茎のあらゆる部位上に装着するために用いられる該リングベルトは弾性を備えた環状体であり、
該カバー体は扁平状を呈すると共に中空の構造体であり、且つ、前記リングベルトに接続され、
該振動装置は該中空構造のカバー体の内部に設置され、振動を発生する振動源として用いられ、
該振動装置が更に振動モータと電池と電源スイッチを含み、
該振動モータは扁平型の振動モータであって、振動源を発生するために用いられ、
該電池は該振動モータと電気接続されて該振動モータが必要とする作業電力を提供するために用いられ、
該電源スイッチは該振動モータの作動状態を制御するために用いられることを特徴とする、
男性機能補助リング。
【請求項２】
前記リングベルトと該カバー体上に、該男性機能補助リングの振動刺激効果を増加するために用いられる少なくとも１つの突起を設置したことを特徴とする、請求項１に記載の男性機能補助リング。
【考案の詳細な説明】
【技術分野】
【０００１】
本考案は、性機能補助用品であって、詳細には、男性生殖器に装着するリングであって、振動機能を備えた男性機能補助リングに関する。
【背景技術】
【０００２】
人類進化の過程において、性行為は子孫を残すための必要過程であるが、昨今、高度に発達した人間社会における生活維持の難しさなどに起因するストレスなど様々な現代的要因により多くの男性が性行為における男性機能が不全に陥るようになってきており、現在の市場においては、多くの性行為の過程における男性機能の輔助器具が満ちている。
【０００３】
米国特許第５３７７６９２号の「振動式コンドーム」は、コンドーム上に振動エリア(vibrating region)を設けたものであって、外部電力ユニットによりこの振動エリア(vibrating region)を駆動させるものであるが、このような実施方法は、コンドームが電気コードを介して外部電力ユニットを接続する必要があるため、使用上困難であり、設計上も理想的ではない。
【０００４】
また、現在市場には従来技術で設計された「振動コンドーム」があるが、この振動コンドームが利用する振動源は、円柱型の振動モータであり、モータの体積が大きく円柱状である。
【考案の開示】
【考案が解決しようとする課題】
【０００５】
上述のように、現有の市場製品では性行為の過程において効果的に男性の陰茎を刺激することができず、米国特許第５３７７６９２号の「振動式コンドーム」の実施方法は複雑すぎて実施に不便であるため、本考案は性行為を行う過程において、効果的に男性の陰茎を刺激することができる男性機能補助リングの提供を目的とするものである。
【課題を解決するための手段】
【０００６】
本考案の男性機能補助リングは、リングベルトとカバー体から成り、リングベルトは軟性プラスチック材から成る環状体であり、カバー体がこのリングベルトに接続され、カバー体内には振動装置を設け、男性がこの男性機能補助リングを生殖器上に装着し、カバー体内の振動装置を駆動して性行為の過程において男性の陰茎を刺激し、男性機能を発揮させることができる。
【考案の効果】
【０００７】
本考案の男性機能補助リングによれば、性行為の過程において男性の陰茎を刺激し、男性機能を向上させることができる。
【考案を実施するための最良の形態】
【０００８】
本考案の詳細な内容及び技術を以下図面に基づき詳細に説明する。
【０００９】
図１に本考案の男性機能補助リングの正面図を示す。本考案の男性機能補助リングは主に男性の陰茎を刺激するものであり、この男性機能補助リング１は軟性無毒ゴムを射出し成型で一体成型して成り、弾性を備えたリングベルト３を備え、このリングベルト３の厚さは約０.２mm、幅は約６mmとし、このリングベルト３の内側は光滑（滑らか）であるため、男性使用者の陰茎上に密着する。このリングベルト３の外側に規則的に配列したリングベルト突起点６を設けてもよく、このリングベルト突起点の大きさは高さ２mm、円周幅２mm、突起点間の間隔６mmといったような規格とすることができ、この設計により突起を女性の陰道に当接させた際に得られる反力により男性の陰茎に対する刺激を増加することができる。
【００１０】
このリングベルト３にはリングベルト３と一体成型されたカバー体２が接続され、このカバー体２は中空の設計であり、且つ両側に開口部７を備え、内部に振動装置が設置される。この振動装置はカバー体２内部に固定され、この振動装置は扁平型バイブレータ８とし、この扁平型バイブレータ８をカバー体２の挟み層の中に設置する。カバー体２の材料厚さは約１mmとし、橢円形の扁平状を呈し、この橢円の長径は約２.６cm、短径は約１.６cmとし、短径部位とリングベルト３が一体成型で相互に接続される。図２の本考案の男性機能補助リング側面図に示すように、このカバー体２は傾斜設計が施され、カバー体２とリングベルト３の接続性が強化されている。
【００１１】
次に、図３の本考案の男性機能補助リング上面図に示すように、カバー体２外表の内側は光滑表面となっており、男性生殖器(陰茎)の上に密着させることができる。また、カバー体２外表の外側上方には少なくとも１つの楕円形軟性突起４が設置され、この楕円形軟性突起４の大きさは長さ約１cm、幅約５mm、高さ約３mmとし、この楕円形軟性突起４の円周にさらに少なくとも１つの突起点５を設けてもよく、この設計により女性器への挿入を円滑に行うことができる。
【００１２】
次に、図４に本考案の男性機能補助リングの振動装置の平面図を示す。そのうち、プラスチック外殻体１１は無毒プラスチックで製成され、その内部に振動装置が収納される。このプラスチック外殼体１１の材料厚さは約０.５mmとし、外観は橢円型を呈し、その大きさは長径約２.３cm、短径約１.３cm、高さ約４mmとする。このプラスチック外殻体１１内に扁平型振動モータ９と電池１０を設置し、且つ、このプラスチック外殻体１１に電源スイッチ１２を設け、この扁平型振動モータ９の駆動と停止を制御する。
【００１３】
プラスチック外殻体１１は上殼体と下殼体に分けられ、その組み立て方法は、扁平型振動モータ９と電池１０を下殼体内に設置し、上殼体と下殼体を結合させると、本考案の扁平型バイブレータ８は組み立てが完了する。さらに扁平型バイブレータ８をカバー体２内に設置し、本考案の男性機能補助リング１は組み立てが完了する。
【００１４】
最後に、図５に本考案の男性機能補助リングの実施方法を示す。性行為の開始前に、まず本考案の男性機能補助リング１を男性生殖器１４の亀頭１３後方の陰茎のあらゆる位置に装着し、この男性機能補助リング１は軟性の無毒ゴムから成り、且つ、弾性と柔軟性、密着性等の特性を備えているため、男性陰茎のあらゆる位置に密着させることができ、且つ、男性に束縛感を感じさせることがない。また、本考案の男性機能補助リング１は、特定の装着位置を要求しないため、男性は本考案を陰茎周囲のあらゆる位置と角度に自由に調整移動することができ、適宜使用者に適した装着位置を自由に選択することができる。装着完了後、電源スイッチ１２を入れると本考案を使用して男性機能を向上させることができる。
【００１５】
性行為発生の過程において、扁平型振動モータ９の振動効果により、カバー体２上方の各突起点４、５、６を動かして、当接する女性の陰道壁から得られる反力により男性の陰茎に対して刺激を与えると同時に、扁平型バイブレータ８自身の振動との相乗効果により、陰茎皮膚上の振動の刺激を感じさせて男性機能を発揮させることができる。本考案によれば、振動の刺激効果により、男性の性行為の過程における男性機能の不全を解消することができる。
【００１６】
本考案の別の利点は、本考案を使用した後、男性の陰茎の円周直径が間接的に約０.６cm増加するため、性行為の過程における生殖器相互摩擦の男性機能維持に必要となる刺激不足の問題を間接的に一部改善することができ、且つ、本考案の使用時に男性生殖器上にコンドームを装着しても、本考案の機能及び効果に影響を与えることがない。
【００１７】
以上、本考案を前述の最良の実施例に基づき説明してきたが、以上の説明は本考案を制限するものではなく、関連技術を熟知したあらゆる人物による本考案の要旨を逸脱しない範囲におけるあらゆる変更や修飾も本考案の保護範囲に含まれるものとみなし、本考案は実用新案登録請求の範囲によってのみ制限される。
【図面の簡単な説明】
【００１８】
【図１】本考案の男性機能補助リング正面図である。
【図２】本考案の男性機能補助リング側面図である。
【図３】本考案の男性機能補助リング上面図である。
【図４】本考案の男性機能補助リングの振動装置の平面図である。
【図５】本考案の男性機能補助リングの装着状態を示す平面図である。
【符号の説明】
【００１９】
１     男性機能補助リング
２     カバー体
３     リングベルト
４     楕円形軟性突起
５     突起点
６     リングベルト突起点
７     開口部
８     扁平型バイブレータ
９     扁平型振動モータ
１０   電池
１１   プラスチック外殻体
１２   電源スイッチ
１３   亀頭
１４   男性生殖器
【図１】
0003120139.tif 000003
【図２】
0003120139.tif 000004
【図３】
0003120139.tif 000005
【図４】
0003120139.tif 000006
【図５】
0003120139.tif 000007